(57)【要約】【課題】光ディスク等に印刷する場合に、操作レバーによる操作が不要な記録装置、および光ディスク等を保持する被記録材搬送用トレイを提供する。【解決手段】被記録材に記録を行う記録部と、回転駆動可能な搬送駆動ローラ１４と、搬送駆動ローラ１４の上方に配置され、該搬送駆動ローラ１４の回転に従って従動回転可能な搬送従動ローラ１５とから構成される、記録部に被記録材を搬送する搬送ローラ１６と、剛性のある被記録材を保持可能な被記録材搬送用トレイ５０を着脱自在にセット可能なセット部３０と、被記録材搬送用トレイ５０をセット部３０から記録部へと真っ直ぐに搬送する搬送経路を有する記録装置であって、被記録材搬送用トレイ５０をセット部にセットし、被記録材搬送用トレイの先端５０ａが搬送ローラ１６のニップ点に達した状態で、被記録材搬送用トレイ５０をニップ点に押しつける付勢手段４０を備えている。【選択図】　　　　図５
2004043095.tif 000002
【特許請求の範囲】
【請求項１】
被記録材に記録を行う記録部と、
回転駆動可能な搬送駆動ローラと、この搬送駆動ローラの上方に配置されるとともに該搬送駆動ローラの回転に従って従動回転可能な搬送従動ローラとから構成される、前記記録部に被記録材を搬送する搬送ローラと、
剛性のある被記録材を保持可能な被記録材搬送用トレイを着脱自在にセット可能なセット部と、
前記被記録材搬送用トレイを前記セット部から前記記録部へと真っ直ぐに搬送する搬送経路を有する記録装置であって、
前記被記録材搬送用トレイを前記セット部にセットし、当該被記録材搬送用トレイの先端が前記搬送ローラのニップ点に達した状態で、当該被記録材搬送用トレイをニップ点に押しつける付勢手段を備えていることを特徴とする、記録装置。
【請求項２】
請求項１において、前記付勢手段は、被記録材搬送用トレイの先端が前記搬送ローラのニップ点に達する状態に至る際に、該被記録材搬送用トレイが当接することにより、当該被記録材搬送用トレイの搬送経路から退避可能に構成されていることを特徴とする、記録装置。
【請求項３】
請求項１または請求項２において、前記付勢手段は、前記被記録材搬送用トレイの先端が当接する当接部と、前記被記録材搬送用トレイを付勢する付勢部を有する側面視略Ｌ字型に形成された付勢本体部を備え、当該付勢本体部は、回動支点を中心として回動付勢されていることを特徴とする、記録装置。
【請求項４】
請求項１から請求項３のいずれか一項において、前記被記録材搬送用トレイは、板状体からなるトレイ本体部と、このトレイ本体部に形成され剛性のある被記録材を保持する保持部と、前記トレイ本体部の側端から側方に向けて突出して形成され、前記付勢手段と係合して当該付勢手段の付勢力が作用する係合部を備えていることを特徴とする、記録装置。
【請求項５】
請求項１から請求項３のいずれか一項に記載の被記録材搬送用トレイであって、板状体からなるトレイ本体部と、このトレイ本体部に形成され剛性のある被記録材を保持する保持部と、前記トレイ本体部の側端から側方に向けて突出して形成され、前記付勢手段と係合して当該付勢手段の付勢力が作用する係合部を備えていることを特徴とする、被記録材搬送用トレイ。
【請求項６】
請求項５において、前記係合部は、前記トレイ本体部の先端まで当該トレイ本体部と面一となるように構成されていることを特徴とする、被記録材搬送用トレイ。
【請求項７】
請求項５または請求項６において、当該被記録材搬送用トレイのセット方向の先端部には前記保持部側に向けて昇り面となる傾斜面が形成されていることを特徴とする、被記録材搬送用トレイ。
【発明の詳細な説明】
【０００１】
【発明の属する技術分野】
本発明は、剛性のある被記録材（例えば、光ディスクなど）に記録が可能な記録装置、および前記剛性のある被記録材を保持する被記録材搬送用トレイに関する。
【０００２】
【従来の技術】
記録装置の１つにインクジェットプリンタがあり、当該インクジェットプリンタには、被記録材として普通紙などの可撓性のある用紙の他に、コンパクトディスクなどの光ディスクに直接インクを吐出して印刷ができるように構成されているものがある。このようなインクジェットプリンタにおいて、光ディスクは剛性体であるので通常の用紙搬送経路（被記録材である用紙を湾曲させて搬送する経路）を利用した搬送が不可能であり、板状体からなる専用のトレイ（以下「搬送用トレイ」という。）に保持させて、まっすぐな搬送経路を用いて搬送させるようになっている。
【０００３】
ところで、当該インクジェットプリンタは、被記録材を狭持して記録部へと搬送する搬送ローラを備えている。この搬送ローラは、駆動源からの駆動力の付与により回転駆動可能な搬送駆動ローラと、この搬送駆動ローラの上方に配置され、当該搬送駆動ローラに向けて付勢され、かつ、当該搬送駆動ローラに対して相対的に上下に変位可能な搬送従動ローラとから構成されている。前記搬送従動ローラは、段階的に複数のポジション（高さ位置）をとることができるように構成されており、この搬送従動ローラを付勢力に抗して上下方向へポジション変位させる操作レバーを含む操作機構がインクジェットプリンタ本体部に設けられている。
【０００４】
そして、被記録材としてのコンパクトディスクに印刷する場合には、コンパクトディスクを保持した搬送用トレイをインクジェットプリンタに構成されたセット部にセットする。このとき、搬送用トレイを搬送ローラで狭持して搬送可能とするため、操作レバーを操作して、一旦搬送従動ローラを最上位のポジションまで退避させ、当該搬送用トレイの先端部を搬送従動ローラと搬送駆動ローラとの間に差し込む。この状態で操作レバーを再度操作して、搬送従動ローラを下方にポジション変位させて搬送用トレイの上側から押圧させることによって狭持させていた。
【０００５】
【発明が解決しようとする課題】
しかし、このようなインクジェットプリンタにおいては、被記録材に光ディスクを選択する度に搬送従動ローラを変位させる操作レバーの操作が必要となってしまい操作が煩雑であるとともに、搬送従動ローラを回動付勢に抗して操作するので大きな操作力が必要である。また、操作レバーを含む搬送従動ローラの操作機構が必要であり装置構成が複雑になってしまうとともに、この操作機構を構成する部材が必要となってコストアップになり、さらに操作機構を配置するスペースも要するためインクジェットプリンタ全体での省スペース化の妨げとなっていた。
【０００６】
本発明はこのような問題に鑑みなされたものであって、その課題は、光ディスク等に印刷する場合に、操作レバーによる操作が不要な記録装置、および光ディスク等を保持する被記録材搬送用トレイを提供することにある。
【０００７】
【課題を解決するための手段】
上記課題を解決するため、請求項１に記載の記録装置の発明は、被記録材に記録を行う記録部と、回転駆動可能な搬送駆動ローラと、この搬送駆動ローラの上方に配置されるとともに該搬送駆動ローラの回転に従って従動回転可能な搬送従動ローラとから構成される、前記記録部に被記録材を搬送する搬送ローラと、剛性のある被記録材を保持可能な被記録材搬送用トレイを着脱自在にセット可能なセット部と、前記被記録材搬送用トレイを前記セット部から前記記録部へと真っ直ぐに搬送する搬送経路を有する記録装置であって、前記被記録材搬送用トレイを前記セット部にセットし、当該被記録材搬送用トレイの先端が前記搬送ローラのニップ点に達した状態で、当該被記録材搬送用トレイをニップ点に押しつける付勢手段を備えていることを特徴とする。
【０００８】
本発明の記録装置によれば、被記録材搬送用トレイをセット部にセットし、当該被記録材搬送用トレイの先端が搬送ローラのニップ点に達した状態で、当該被記録材搬送用トレイをニップ点に押しつける付勢手段を備えているので、被記録材搬送用トレイの先端がニップ点に達し、かつ付勢手段でニップ点に押しつけられている状態で搬送ローラを回動（正転）させることによって、当該被記録材搬送用トレイを確実に搬送ローラで狭持して、搬送することが可能である。
【０００９】
すなわち従来のように被記録材搬送用トレイを搬送ローラに狭持させるための搬送従動ローラを上方に退避させる操作等が不要となり、ユーザーの操作性向上を図ることができる。また、搬送従動ローラの操作機構が不要となるので、装置構成を簡素化することができ、コストダウン、記録装置全体の省スペース化（小型化）を図ることができる。
【００１０】
また、被記録材搬送用トレイの搬送は、当該被記録材搬送用トレイの先端が搬送ローラのニップ点にある位置から常に開始されるため、当該被記録材搬送用トレイを搬送する搬送ローラの回転数（ステップ数）をカウントすることによって、被記録材搬送用トレイの位置を把握することが可能となる。従って、記録開始位置への位置決め（いわゆる、頭出し）は、搬送ローラを所定回転数回転させることにより、容易に、かつ速やかに行うことができる。
【００１１】
また、請求項２に記載の記録装置の発明は、請求項１において、前記付勢手段は、被記録材搬送用トレイの先端が前記搬送ローラのニップ点に達する状態に至る際に、該被記録材搬送用トレイが当接することにより、当該被記録材搬送用トレイの搬送経路から退避可能に構成されていることを特徴とする。
【００１２】
本発明の記録装置によれば、付勢手段は、被記録材搬送用トレイの先端が搬送ローラのニップ点に達する状態に至る際に、該被記録材搬送用トレイが当接することにより、当該被記録材搬送用トレイの搬送経路から退避可能に構成されているので、付勢手段が被記録材搬送用トレイを搬送する際の邪魔となることがない。すなわち、例えば付勢手段が被記録材搬送用トレイの搬送経路上に配置されていたとしても、該被記録材搬送用トレイの搬送をなんら妨げることがない。
【００１３】
また、請求項３に記載の記録装置の発明は、請求項１または請求項２において、前記付勢手段は、前記被記録材搬送用トレイの先端が当接する当接部と、前記被記録材搬送用トレイを付勢する付勢部を有する側面視略Ｌ字型に形成された付勢本体部を備え、当該付勢本体部は、回動支点を中心として回動付勢されていることを特徴とする。本発明の記録装置によれば、簡単な構成で被記録材搬送用トレイを付勢することが可能である。
【００１４】
また、請求項４に記載の記録装置の発明は、請求項１から請求項３のいずれか一項において、前記被記録材搬送用トレイは、板状体からなるトレイ本体部と、このトレイ本体部に形成され剛性のある被記録材を保持する保持部と、前記トレイ本体部の側端から側方に向けて突出して形成され、前記付勢手段と係合して当該付勢手段の付勢力が作用する係合部を備えていることを特徴とする。
【００１５】
この記録装置の特徴によれば、簡単な構成で、記録装置側の付勢手段と被記録材搬送用トレイ側の係合部が係合することにより、被記録材搬送用トレイの先端が記録装置の搬送ローラのニップ点に達した状態で、当該被記録材搬送用トレイをニップ点に押しつけるように付勢することが可能である。
【００１６】
また、請求項５に記載の被記録材搬送用トレイの発明は、請求項１から請求項３のいずれか一項に記載の被記録材搬送用トレイであって、板状体からなるトレイ本体部と、このトレイ本体部に形成され剛性のある被記録材を保持する保持部と、前記トレイ本体部の側端から側方に向けて突出して形成され、前記付勢手段と係合して当該付勢手段の付勢力が作用する係合部を備えていることを特徴とする。
【００１７】
本発明の被記録材搬送用トレイによれば、簡単な構成で、記録装置側の付勢手段と被記録材搬送用トレイ側の係合部が係合することにより、被記録材搬送用トレイの先端が記録装置の搬送ローラのニップ点に達した状態で、当該被記録材搬送用トレイをニップ点に押しつけるように付勢することが可能である。
【００１８】
また、請求項６に記載の被記録材搬送用トレイの発明は、請求項５において、前記係合部は、前記トレイ本体部の先端まで当該トレイ本体部と面一となるように構成されていることを特徴とする。本発明の被記録材搬送用トレイによれば、係合部が破損しにくくなり、被記録材搬送用トレイとして耐久性および安定性を向上できる。
【００１９】
また、請求項７に記載の被記録材搬送用トレイの発明は、請求項５または請求項６において、当該被記録材搬送用トレイのセット方向の先端部には前記保持部側に向けて昇り面となる傾斜面が形成されていることを特徴とする。本発明の被記録材搬送用トレイによれば、記録装置側の付勢手段および搬送ローラとが、被記録材搬送用トレイと傾斜面によりスムーズに係合することができる。
【００２０】
【発明の実施の形態】
以下図面に基づいて本発明の一実施形態について説明する。
【００２１】
＜インクジェットプリンタの構成＞
ここで、図１は本発明の一実施形態に係るインクジェットプリンタ１００の要部側断面図である。インクジェットプリンタ１００は、装置後方に給紙装置（図示せず）を備え、この給紙装置に傾斜姿勢で保持された用紙を矢印▲１▼の方向に搬送する第１の搬送経路と、装置後方から給紙装置フレーム１１の下を通り、記録部へと矢印▲２▼の方向にまっすぐに搬送する第２の搬送経路を有している。ここで、第１の搬送経路▲１▼は被記録材として可撓性を有する普通紙などの搬送に利用され、一方、第２の搬送経路▲２▼は被記録材としての光ディスク（例えば、コンパクトディスク等）をセットした後述する被記録材搬送用トレイ（以下「トレイ」という。）５０の手差し搬送に用いられるようになっている。
【００２２】
給紙装置は、用紙を傾斜姿勢で堆積保持するホッパ（図示せず）を備え、このホッパの上流側には揺動支点が設けられ、この揺動支点を中心として揺動することにより、図示を省略した給紙ローラに対して圧接および離間動作を行うことができるようになっている。給紙ローラは側面視略Ｄ形形状をなしており、その表面には高摩擦部材が配設されていて、当該給紙ローラに接触した用紙を確実に給紙できるようになっている。このような構成により、ホッパが給紙ローラに対して圧接動作を行うことにより、当該ホッパに保持されている最上位の用紙が給紙ローラに接触する。その状態で給紙ローラが回動することにより、当該最上位の用紙を次位以降の用紙から分離して給紙できるようになっている。また、給紙装置の下部には、給紙装置フレーム１１が配置されている。
【００２３】
給紙装置の下流には、用紙をガイドする用紙ガイド１２が配設されており、給紙された用紙を搬送ローラ１６に向けてガイドすることができるようなっている。
【００２４】
搬送ローラ１６は被記録材を副走査方向（図１において左右方向）に精密送りするものである。当該搬送ローラ１６は、図示しない駆動手段によって回転駆動する搬送駆動ローラ１４と、この搬送駆動ローラ１４の上方に配置され圧接することにより従動回転する搬送従動ローラ１５とから構成されている。
【００２５】
搬送駆動ローラ１４は、主走査方向（図１において紙面表裏方向）に長い棒状のローラからなり、表面には高摩擦部材が形成されていて被記録材の裏面（印刷面の反対面）に接触して精密送り動作を確実に実行可能となっている。一方の搬送従動ローラ１５は、主走査方向に短い複数のローラが所定の間隔で配置され、搬送従動ローラホルダ１８の下流側において自由回転可能に軸支されている。
【００２６】
搬送従動ローラホルダ１８は、回動支点（図示せず）を中心に回動可能に設けられ、図示しない付勢手段（例えば、ねじりコイルバネ）によって搬送駆動ローラ１４に向けて回動付勢されている。また、この付勢手段の付勢力に抗して回動支点を中心として搬送駆動ローラ１４から退避する方向に回動可能となっている。すなわち、搬送従動ローラ１５は搬送駆動ローラ１４から離間して、厚みのある被記録材を狭持できるようになっている。このように、搬送従動ローラホルダ１８が回動することによって搬送従動ローラ１５が上方に退避（すなわち、搬送駆動ローラ１４から離間）して、前記した第２の搬送経路▲２▼を使用する厚みのあるトレイ５０をも狭持して搬送することが可能である。
【００２７】
搬送ローラ１６の下流側近傍には、記録部が構成されている。記録部は、被記録材にインクを吐出する記録ヘッド２１と、この記録ヘッド２１に対向した位置に配設されたプラテン２２を備えている。記録ヘッド２１はキャリッジ（図示せず）の下部に設けられ、キャリッジに搭載されたインクカートリッジ（図示せず）からインクの供給を受け、被記録材に向けてインク滴を吐出する。キャリッジは、インクジェットプリンタ１００の基本骨格をなすメインフレーム２０の一部を構成する装置両サイドに形成されたサイドフレーム（図示せず）によって両端部が固定されているキャリッジガイド軸（図示せず）によって支持されつつ、主走査方向に往復移動可能となっている。プラテン２２は、被記録材を下側から支持し、当該被記録材の印刷面と記録ヘッド２１との距離を規定している。
【００２８】
記録部の下流には記録の行われた被記録材を排出する排紙部が構成されている。排紙部は、図示しない駆動源により回転駆動する排紙駆動ローラ２５と、この排紙駆動ローラ２５の上方に配置され外周面に複数の歯を有する歯付きローラから構成される排紙従動ローラ（図示せず）を備え、これにより記録の行われた被記録材をインクジェットプリンタ１００の前面側に向けて排出することができるようになっている。排紙駆動ローラ２５の下流には、スタッカ２９が設けられ、排紙された被記録材を支持することができるようになっている。このスタッカ２９は、上流側の回動支点２９ａを中心として回動可能に構成されており、使用時には図１に示す如くインクジェットプリンタ１００の載置面側に回動して排紙された被記録材を支持可能となり、非使用時には装置本体部側（すなわち、上流側）に回動することによって載置スペースを節約している。
【００２９】
＜付勢手段、被記録材搬送用トレイ＞
インクジェットプリンタ１００の後方には、第２の搬送経路▲２▼を使用する場合に用いられるトレイ５０（図２）をセット可能なセット部３０が構成されている。またインクジェットプリンタ１００の外観をなす上ケース１０の該当箇所には挿入口１０ａが形成され、トレイ５０をセット部３０に対して着脱自在にセットできるようになっている。給紙装置フレーム１１の下部には、トレイ５０を記録部へと略水平にガイドするトレイガイド３１が配置されている。また、セット部３０にセットしたトレイ５０の幅方向の移動を規制するエッジガイド（図示せず）を設け、トレイ５０を正姿勢で搬送することができるように構成されている。
【００３０】
また、第２の搬送経路▲２▼上には、トレイ５０を搬送ローラ１６のニップ点に押しつける付勢手段４０が配置されている。この付勢手段４０は、側面視略Ｌ字形の付勢本体部４１から構成され、当該付勢本体部４１は後述するトレイ５０の係合部先端５５ａが当接する当接部４２と、係合部後端５５ｂと係合して付勢力を作用させてトレイ５０を搬送ローラ１６に向けて付勢する付勢部４３を有している。また、付勢本体部４１の一端部には揺動支点４１ａが構成され、この揺動支点４１ａを中心として揺動可能となっている。また、付勢本体部４１は、付勢力付与手段としてのねじりコイルバネ４５により揺動支点４１ａを中心として搬送ローラ１６に向けて（図１において反時計回り）回動付勢されていて、さらにこの付勢力に抗した方向（図１において時計回り）に回動することにより、トレイ５０の搬送経路である第２の搬送経路▲２▼から退避可能となっている。
なお、付勢本体部４１が搬送経路から退避した場合に、その状態を認識するセンサー（図示せず）を設け、第２の搬送経路▲２▼を使用した印刷モードであることを識別することもできる。これにより、セット部３０に被記録材搬送用トレイ５０をセットしたことを認識可能とすることができる。
【００３１】
ここでトレイ５０の構成について図７を参照しつつ説明する。なお、図７に示す矢印は、当該トレイ５０をインクジェットプリンタ１００にセットする場合の挿入方向を示すものであり、すなわち矢印の延長線上にインクジェットプリンタ１００のセット部３０が位置している。
トレイ５０は、板状体からなるトレイ本体部５１と、このトレイ本体部５１に形成され剛性のある被記録材としての光ディスクを保持する保持部５２を有している。保持部５２は、周囲のトレイ本体部５１より凹となるように形成され、例えば直径１２ｃｍもしくは直径８ｃｍのコンパクトディスクなどを保持できるようになっている。保持部５２の深さは、前記コンパクトディスクの厚さと略等しく形成されている。
【００３２】
また、トレイ本体部５１の一側端で、かつトレイ挿入方向先端側には、前記したインクジェットプリンタ１００側の付勢手段４０と係合可能な係合部５５がトレイ本体部５１と面一となるように一体成形されている。なお、本実施形態においては、トレイ本体部先端５１ａと係合部先端５５ａとが同一辺を形成するように同一直線上に構成されており、以下これらを区別することを要しない場合には「トレイ先端５０ａ」とする場合がある。係合部後端５５ｂは、トレイ先端５０ａが搬送ローラ１６のニップ点に達した状態で付勢手段４０の付勢部４３と係合して、付勢手段４０の付勢力を受けてトレイ５０を付勢する付勢力作用部として作用する。そして、当該係合部後端５５ｂは、付勢手段４０において付勢可能な位置に配置されている。すなわち、トレイ先端５０ａから係合部後端５５ｂの長さは、搬送ローラ１６のニップ点から付勢手段４０までの距離と略同一に構成されている。これにより、付勢部４３と係合部後端５５ｂが確実に係合して、トレイ５０を搬送ローラ１６に向けて付勢することができる。
【００３３】
また、トレイ５０の先端部には、トレイ先端５０ａから上面（すなわち、保持部５２が形成されている面）に向けて昇り面となる傾斜面５６が形成されている。この傾斜面５６により、トレイ５０をインクジェットプリンタ１００にセットした場合に、付勢手段４０および給紙ローラ１６に対してスムーズに係合することが可能となる。
【００３４】
以下、トレイ５０を手差し給紙して、第２の搬送経路▲２▼を使用した搬送動作について図２から図６を参照しつつ説明する。
まず、コンパクトディスク５９を保持したトレイ５０をインクジェットプリンタ１００後方の挿入口１０ａから略水平姿勢で挿入させ、セット部３０にセットする。そして、トレイ５０を第２の搬送経路▲２▼を使用してトレイガイド３１に沿って記録部に向けて差し込むことにより、図２に示す如く係合部先端５５ａが付勢本体部４１の当接部４２に当接する。トレイ５０をさらに差し込むことにより、付勢本体部４１が付勢力に抗して上方に退避し、図３に示す如く付勢本体部４１が係合部５５の上面に沿って相対的に摺動する。すなわち、付勢本体部４１はトレイ５０を押し込む動作に連動して傾斜面５６に沿って搬送経路から退避することで、当該トレイ５０を挿入する際の邪魔となることがないように構成されている。
【００３５】
さらにトレイ５０を挿入して、図４および図５に示す如く、トレイ先端５０ａを搬送ローラ１６のニップ点に突き当てる。このとき、付勢本体部４１が回動し、付勢部４３が係合部後端５５ｂに接触することで、トレイ５０を搬送ローラ１６のニップ点に押しつけるように付勢する。これにより、トレイ先端５０ａが搬送ローラ１６のニップ点に達した状態で、この搬送ローラ１６のニップ点に押しつけられる。すなわち、トレイ先端５０ａが搬送ローラ１６のニップ点に達することにより付勢手段４０が付勢方向に回動して、付勢手段４０側の付勢部４３とトレイ５０側の係合部後端５５ｂとが係合し、付勢手段４０の付勢力が作用してトレイ５０を搬送ローラ１６に向けて付勢するように構成されている。
【００３６】
このトレイ５０の搬送ローラ１６に対する接触・付勢状態で、搬送駆動ローラ１４が正転（図４において時計回り）することにより、トレイ５０は確実に搬送駆動ローラ１４と搬送従動ローラ１５と（すなわち搬送ローラ１６）によって狭持されて、図６に示す如く記録部に向けて搬送され、印刷が行われる。このとき、トレイ先端部に形成された傾斜面５６に沿って搬送従動ローラ１６が上方に徐々に持ち上げられるので、搬送従動ローラホルダ１８の付勢力に抗した搬送ローラ１６によるトレイ５０の狭持を確実に実行することが可能である。
【００３７】
すなわち、上述したように搬送従動ローラ１５は搬送駆動ローラ１４に向けて回動付勢されているので、比較的厚みのあるトレイ５０が狭持されない虞があるが、本発明の如く、付勢手段４０によってトレイ先端５０ａを搬送ローラ１６のニップ点に押しつけ、その状態で搬送駆動ローラ１４を回動させることによってトレイ５０を搬送ローラ１６において確実に狭持して、スリップすることなく搬送することが可能となる。また、トレイ先端部には傾斜面５６が形成されているので、搬送従動ローラ１８が傾斜面５６に沿って滑らかに退避しつつ狭持するので、搬送ローラ１６でのトレイ５０の狭持をより一層容易に、かつ確実に行うことができる。
【００３８】
なお、トレイ５０は図７に示す構成に限られるものではなく、例えば図８に示す如く、本体部５１の両側端で、かつトレイ挿入方向先端側に係合部５５，５５を形成することも可能である。このような構成のトレイ１５０を使用する場合には、当該トレイ１５０をインクジェットプリンタにセットしたときに、係合部５５，５５の該当する位置に付勢手段を配置して付勢することができる。このような構成により、トレイ１５０はトレイ先端５０ａが搬送ローラ１６のニップ点に達した状態で当該搬送ローラ１６に向けて左右均等に付勢され、より一層安定した状態での付勢が可能である。
【００３９】
また、上述したようにトレイ５０の搬送は、トレイ先端５０ａが搬送ローラ１６のニップ点にある位置から開始されるので、このトレイ５０を搬送する搬送ローラ１６の回転数（ステップ数）をカウントすることによって、トレイ５０の搬送量を把握することができる。従って、トレイ５０の印刷開始位置への位置決め（いわゆる、頭出し）を容易に、かつ速やかに行うことが可能である。
【００４０】
すなわち従来技術においては、搬送従動ローラを上方に退避させた状態で、トレイ先端部を搬送従動ローラと搬送駆動ローラとの間に挿入し、その後搬送従動ローラを下方に変位させることによって、トレイを搬送ローラで狭持させていた。従って、搬送ローラによるトレイの狭持位置が毎回異なり、トレイの頭出し作業にはセンサーなどの位置検出手段が別途必要となってしまい、この手段は高価であるとともに、位置検出に長時間を要していた。
しかし本発明では、上述したようにトレイ５０の搬送が常に一定位置から開始されるので、搬送ローラ１６のステップ数をカウントすることによって、トレイ５０の搬送量を把握して、頭出し作業を容易に行うことができる。
【００４１】
【発明の効果】
以上説明したように本発明によれば、被記録材搬送用トレイの先端が搬送ローラのニップ点に達した状態で、付勢手段によって当該被記録材搬送用トレイが搬送ローラに押しつけられるので、搬送ローラを回動させることにより、当該被記録材搬送用トレイを狭持して、スリップすることなく確実に搬送することが可能である。従って、従来技術のようなトレイを搬送ローラで狭持するための搬送従動ローラの操作機構が不要となるので、ユーザーの操作性向上を図ることができる。また、搬送従動ローラの操作機構が不要となるので、インクジェットプリンタ全体の装置構成を簡素化することができ、さらにコストダウン、省スペース化を図ることが可能である。
【図面の簡単な説明】
【図１】本発明の一実施形態に係るインクジェットプリンタの要部側断面図である。
【図２】同インクジェットプリンタの動作説明図である。
【図３】同インクジェットプリンタの動作説明図である。
【図４】同インクジェットプリンタの動作説明図である。
【図５】図４と同状態の平面図である。
【図６】同インクジェットプリンタの動作説明図である。
【図７】本発明の一実施形態に係る被記録材搬送用トレイの平面図である。
【図８】本発明の別の実施形態に係る被記録材搬送用トレイの平面図である。
【符号の説明】
１０　上ケース
１０ａ　挿入口
１１　給紙装置フレーム
１２　用紙ガイド
１４　搬送駆動ローラ
１５　搬送従動ローラ
１６　搬送ローラ
１８　搬送従動ローラホルダ
２０　メインフレーム
２１　記録ヘッド
２２　プラテン
２５　排紙駆動ローラ
２９　スタッカ
３０　セット部
３１　トレイガイド
４０　付勢手段
４１　付勢本体部
４２　当接部
４３　付勢部
４５　ねじりコイルバネ
５０，１５０　被記録材搬送用トレイ
５１　トレイ本体部
５１ａ　トレイ本体部先端
５２　保持部
５５　係合部
５５ａ　係合部先端
５５ｂ　係合部後端
５６　傾斜面
５９　コンパクトディスク
１００　インクジェットプリンタ
【図１】
2004043095.tif 000003
【図２】
2004043095.tif 000004
【図３】
2004043095.tif 000005
【図４】
2004043095.tif 000006
【図５】
2004043095.tif 000007
【図６】
2004043095.tif 000008
【図７】
2004043095.tif 000009
【図８】
2004043095.tif 000010